(57)【要約】【課題】発光素子の光を出射方向とは反対側に反射させる発光装置において、発光素子の陰となる部分も光らせることで、略均一な面発光を実現できる発光装置を提供すること。【解決手段】ＬＥＤパッケージ１２（発光素子）から出射した光がリフレクタ２０（反射部材）で反射して、反射された光の一部が、ＬＥＤ１０の裏面に設置された保護カバー３０（カバー）に入射して、こうして保護カバー３０に入射した光が、保護カバー３０の中の少なくともＬＥＤ１０の陰となる部分に形成された拡散部３２において拡散して外部に出射するため、ＬＥＤ１０の陰となる部分から光を出射する。【選択図】図３
2013186987.tif 000002
【特許請求の範囲】
【請求項１】
透光性を有するカバーと、該カバーの一方側の面に備えられた発光素子と、該発光素子に対し前記カバーと反対側に配置され前記発光素子からの光を反射する反射部材と、を有する発光装置において、
前記カバーにおける少なくとも前記発光素子の陰となる部分に光を拡散させる拡散部が形成されており、
前記反射部材は、前記発光素子からの光の一部を前記拡散部に導光するように反射させることを特徴とする発光装置。
【請求項２】
前記拡散部は、前記カバーの前記発光素子が実装された基板の陰となる部分も含まれることを特徴とする請求項１記載の発光装置。
【請求項３】
前記反射部材は、前記発光素子に対向する第１反射部と、前記第１反射部で反射した光を前記拡散部に導光するように反射させる第２反射部とを有することを特徴とする請求項１または２に記載の発光装置。
【請求項４】
前記第２反射部は、前記発光素子の光軸と軸を共有する円筒の内周面で構成されていることを特徴とする請求項３に記載の発光装置。
【請求項５】
前記反射部材で反射した光の一部が、前記拡散部を、前記発光素子の光軸と交差するように通過することを特徴とする請求項１から４のいずれか１項に記載の発光装置。
【請求項６】
前記拡散部は、前記カバーの内部に拡散性を有する粒子を配合したものであることを特徴とする請求項１から５のいずれか１項に記載の発光装置。
【請求項７】
前記拡散部は、前記カバーの表面に、拡散性を有する部材を貼り付けたものであることを特徴とする請求項１から５のいずれか１項に記載の発光装置。
【請求項８】
前記拡散部は、前記カバーの表面に、拡散性を有する形状加工を施したものであることを特徴とする請求項１から５のいずれか１項に記載の発光装置。
【請求項９】
前記カバーと前記発光素子が重なる部分において、前記カバー又は前記発光素子が反射性を有することを特徴とする請求項１から８のいずれか１項に記載の発光装置。
【発明の詳細な説明】
【技術分野】
【０００１】
本発明は、発光装置に関する。
【背景技術】
【０００２】
近年、光源として発光ダイオード（以下、ＬＥＤという。）が広く用いられている。これは、ＬＥＤが省電力、長寿命という優れた特徴を有しているためである。
【０００３】
ＬＥＤを光源として用いる発光装置としては、例えば、均一な配光特性を発揮するように、反射光を所定の方向に向ける凹面鏡の形状を有する前照灯が提案されている（特許文献１）。
【０００４】
また、ＬＥＤから出射した光を、双曲面反射面で反射させて、その反射した光を、ＬＥＤの出射方向とは反対方向に設置した回転放物面反射面で再度反射させて、ＬＥＤの前方に出射させるとともに、ＬＥＤの光軸と双曲面反射面との交点付近に設けた透過部から出射した光をＬＥＤの前方に照射することにより、回転放物面反射面で反射した光のうち、双曲面反射面によって遮られてしまう光によって照明されるべき範囲を、透過部から出射した光で照明することによって、出射光量の低下を防止して、より広い範囲を照明することが可能な車両用ＬＥＤ灯具が提案されている（特許文献２）
【先行技術文献】
【特許文献】
【０００５】
【特許文献１】特公平８―１０５６１号公報
【特許文献２】特開２００２−７５０２５号公報
【発明の概要】
【発明が解決しようとする課題】
【０００６】
特許文献１に記載された前照灯では、照明光源を点光源として光学設計を行っている。しかし、実際には、照明光源は有限な面積を有し、基板に実装されている。この場合、凹面鏡で反射した光は、照明光源の発光面や基板によって遮られてしまうため、照明光源の裏面からは光が外部に向けて出射されないという問題があった。
【０００７】
また、特許文献２に記載された車両用ＬＥＤ灯具では、独立した２枚の反射面を用いるため、照明の構造が複雑になり、これによって灯具のコストも上昇してしまう。さらに、独立した２枚の反射面を備えるために、灯具の厚みが大きくなってしまうという問題点があった。
【０００８】
本発明は上記事情に鑑みなされたもので、発光素子の光を出射方向とは反対側に反射させる発光装置において、発光素子の陰となる部分も光らせることで、略均一な面発光を実現できる発光装置を提供することを目的とする。
【課題を解決するための手段】
【０００９】
本発明に係る発光装置は、発光素子から出射した光を反射部材で発光素子の裏面側に反射して、こうして反射された光を発光素子の陰となる部分に形成された拡散部を通して外部に出射するものである。
【００１０】
すなわち、本発明に係る発光装置は、透光性を有するカバーと、該カバーの一方側の面に備えられた発光素子と、該発光素子に対し前記カバーと反対側に配置され前記発光素子からの光を反射する反射部材と、を有する発光装置において、前記カバーにおける少なくとも前記発光素子の陰となる部分に光を拡散させる拡散部が形成されており、前記反射部材は、前記発光素子からの光の一部を前記拡散部に導光するように反射させることを特徴とする。
【００１１】
このように構成された本発明に係る発光装置によれば、発光素子から出射した光が反射部材で反射して、こうして反射された光の一部が、発光素子の裏面に設置された透光性を有するカバーに入射して、こうしてカバーに入射した光が、カバーの中の少なくとも発光素子の陰となる部分に形成された拡散部において拡散して外部に出射するため、発光素子の陰となる部分から光を出射することができ、これによって略均一な面発光が可能な発光装置を提供することができる。
【発明の効果】
【００１２】
本発明に係る発光装置によれば、発光素子からの光が、反射部材によって、カバーにおける少なくとも発光素子の陰となる部分に導かれるため、略均一な面発光を実現できる発光装置を提供することができる。
【図面の簡単な説明】
【００１３】
【図１】本発明の実施例１に係るＬＥＤ発光装置の概略構成を示す構造図を表す。
【図２】図１のＬＥＤ発光装置を利用した交通信号灯器の発光部の構造を示す構造図である。
【図３】図１のＬＥＤ発光装置において、ＬＥＤパッケージから出射した光の進路を説明する図である。
【図４】図３において、カバーに入射した光の振る舞いを説明する図である。
【図５】本発明の実施例２に係るＬＥＤ発光装置の概略構成を示す構造図を表す。
【図６】図５のＬＥＤ発光装置において、ＬＥＤパッケージから出射した光の進路を説明する図である。
【発明を実施するための形態】
【００１４】
以下、本発明に係る発光装置の実施形態について、図面を参照して説明する。
【実施例１】
【００１５】
本実施例１は、本発明の発光装置を用いたＬＥＤ発光装置２００を、図２に示す交通信号灯器１００に適用した例である。
【００１６】
本実施例１に係るＬＥＤ発光装置２００は、図１に示すように、ＬＥＤ１０と、ＬＥＤ１０から出射した光を所定の方向に反射するリフレクタ２０（反射部材）と、透光性を持つポリカーボネート樹脂などで形成された保護カバー３０（カバー）と、を備えている。
【００１７】
本発明のＬＥＤ発光装置２００を利用した交通信号灯器１００は、図２に示すように、図１のＬＥＤ発光装置２００が複数個連接して構成されており、ＬＥＤ１０で発生した熱を保護カバー３０に伝えやすくするためにリフレクタ２０の下部に設けられた断熱材６０とともにユニットケース４０に収容されている。そして、保護カバー３０とユニットケース４０とは、防水ゴムパッキン５０によって封止されている。
【００１８】
以下、本発明のＬＥＤ発光装置２００の構成について、図１を用いて説明する。
【００１９】
図１において、ＬＥＤ１０は、さらに、電圧を印加することによって、図１の下方に向けて光を出射するＬＥＤパッケージ１２（発光素子）と、ＬＥＤパッケージ１２が実装されたＬＥＤ基板１４と、ＬＥＤパッケージ１２とその駆動回路や制御回路とを接続する回路基板１６と、を備えており、ＬＥＤ基板１４のＬＥＤパッケージ１２が実装されていない面と回路基板１６とは、それぞれ熱伝導性接着剤によって保護カバー３０の裏面に接着されている。
【００２０】
リフレクタ２０は、さらに、ＬＥＤパッケージ１２の発光面に対向する位置に形成されたＬＥＤパッケージ１２の発光面に向かって凸形状をなす第１リフレクタ部２３（第１反射部）と、点Ｑ2において第１リフレクタ部２３と連続する第３リフレクタ部２４と、点Ｑ3において第３リフレクタ部２４と連続する第２リフレクタ部２５（第２反射部）と、から形成されている。
【００２１】
リフレクタ２０をＬＥＤパッケージ１２の発光面の中心を通り、ＬＥＤパッケージ１２の発光面に直交する直線である光軸Ｌを含む面で切った断面形状は、光軸Ｌに関して回転対称な形状をなしており、このリフレクタ２０は、例えば、リフレクタ２０の各反射面が形成された基材の表面にアルミ蒸着を行うことによって製造される。
【００２２】
第１リフレクタ部２３は、ＬＥＤパッケージ１２の光軸Ｌを挟む両側に、それぞれ点Ｑ1から点Ｑ2の範囲に亘って形成されており、ＬＥＤパッケージ１２から出射して第１リフレクタ部２３に到達した光が、第２リフレクタ部２５に向けて反射するような反射面の形状を有している。なお、点Ｑ2の位置は、第１リフレクタ部２３で反射した光が、ＬＥＤ基板１４によって遮られずに、第２リフレクタ部２５に向けて反射するように設定される。
【００２３】
第３リフレクタ部２４は、ＬＥＤパッケージ１２の光軸Ｌを挟む両側に、それぞれ点Ｑ2から点Ｑ3の範囲に亘って形成されており、ＬＥＤパッケージ１２の光出力の中心位置Ｆを焦点とし、ＬＥＤパッケージ１２の光軸Ｌを軸とする回転放物面の形状を有している。すなわち、第３リフレクタ部２４は、ＬＥＤパッケージ１２から出射して第３リフレクタ部２４で反射した光が、平行光となって保護カバー３０に入射し、保護カバー３０を通過して外部に出射されるように形成されている。点Ｑ3は、例えば、ＬＥＤパッケージ１２の配光分布において、最大光度の半分の光度の光が出射される角度に対応する位置（半値角に相当する位置）設けられる。なお、点Ｑ3は、光度が半分よりもさらに落ちる角度に対応する位置に設けるのも好適である。
【００２４】
第２リフレクタ部２５は、ＬＥＤパッケージ１２の光軸Ｌを挟む両側に、それぞれ点Ｑ3から点Ｑ4の範囲に亘って形成されており、第１リフレクタ部２３で反射した光を、ＬＥＤ１０の裏面が保護カバー３０と接する領域を通る方向に反射するような反射面の形状を有している。なお、点Ｑ4は、図２に示す連接する各第２リフレクタ部２５の境界の位置に設けられる。
【００２５】
保護カバー３０は、その内部に、入射した光を拡散させる、酸化シリコンや酸化チタンなどから構成された拡散粒子を含む拡散部３２を有している。
【００２６】
なお、ＬＥＤ発光装置２００は、これらの構成要素の他に、ＬＥＤパッケージ１２を点灯させる駆動回路と、ＬＥＤパッケージ１２の点消灯や点滅を制御する制御回路と、を有しているが、これらは、本発明の主要な構成要素ではないため、図示は省略する。
【００２７】
以下、本実施例１におけるＬＥＤ発光装置２００の作用について、図３を用いて説明する。
【００２８】
ＬＥＤパッケージ１２に対して、図示しない制御回路、および駆動回路の指示によって適切な電圧が印加されると、ＬＥＤパッケージ１２は、その発光面が発光して光を出射する。出射した光のうち、一部の光線Φ1は第１リフレクタ部２３に到達して、一部の光線Φ2は第３リフレクタ部２４に到達する。
【００２９】
第１リフレクタ部２３に到達した光線Φ1は、点Ｐ1において、第１リフレクタ部２３への入射角と点Ｐ1における第１リフレクタ部２３の法線方向に応じて決定する方向（入射角と反射角とが等しくなる方向）に反射して、点Ｐ2において第２リフレクタ部２５に到達し、点Ｐ2における第２リフレクタ部２５への入射角と点Ｐ2における第２リフレクタ部２５の法線方向に応じて決定する方向に反射して、図３に示すように、ＬＥＤ１０の裏面が保護カバー３０と接する領域を通過する方向に進行して、保護カバー３０に入射する。
【００３０】
第３リフレクタ部２４に到達した光線Φ2は、点Ｐ3において、第３リフレクタ部２４への入射角と、点Ｐ3における第３リフレクタ部２４の法線方向に応じて決定する方向に反射して、保護カバー３０に入射する。本実施例１では、第３リフレクタ部２４は、ＬＥＤパッケージ１２の中心位置Ｆを焦点とし、ＬＥＤパッケージ１２の光軸を軸とする回転放物面の形状を有しているため、第３リフレクタ部２４で反射した光は、平行光となって保護カバー３０に入射する。
【００３１】
保護カバー３０に入射した光は、保護カバー３０内部の拡散部３２において拡散粒子と衝突して拡散反射や屈折をする。光は、拡散粒子に衝突する度に減衰し、保護カバー３０を通過して、外部に出射される。
【００３２】
交通信号灯器１００の出力を大きくするために、ＬＥＤパッケージ１２から出射した光は、極力減衰せずに外部に出射させる必要があるため、拡散粒子として、その屈折率や粒径が、透光性と拡散性とを両立するような粒子が選択されて使用される。
【００３３】
ここで、保護カバー３０の内部における光線Φ1の進路を、図４を用いて説明する。光線Φ1は、保護カバー３０に対して、ＬＥＤパッケージ１２の光軸Ｌに向かう方向に入射する。そして、光線Φ1は、保護カバー３０の内部で、ＬＥＤ１０の裏面が保護カバー３０に接する領域に到達する。このとき、ＬＥＤ１０の裏面が保護カバー３０に接する領域において、光線Φ1と拡散部３２に配合された拡散粒子とが衝突して光線Φ1の進行方向が変わる。このようにして拡散した光は、さらに別の拡散粒子と衝突を繰り返して、さらに拡散する。
【００３４】
光の進路は、衝突が発生する度に角度が広がり、保護カバー３０の前面に到達すると、外部に向けて出射する。これによって、外部から見ると、ＬＥＤ１０の裏面が保護カバー３０に接する領域が光っているように見える。
【００３５】
以上説明したように、このように構成された実施例１に係るＬＥＤ発光装置２００によれば、ＬＥＤパッケージ１２（発光素子）から出射した光がリフレクタ２０（反射部材）で反射して、こうして反射された光の一部が、ＬＥＤパッケージ１２の裏面に設置された透光性を有する保護カバー３０（カバー）に入射して、こうして保護カバー３０に入射した光が、保護カバー３０の中の少なくともＬＥＤパッケージ１２の陰となる部分に形成された拡散部３２において拡散して外部に出射するため、ＬＥＤパッケージ１２の陰となる部分から光を出射することができ、これによって略均一な面発光が可能な発光装置を提供することができる。また、リフレクタ２０を１枚のみで構成できるため、構成が簡単な発光装置を提供することができる。
【００３６】
ここで、図３において、第１リフレクタ部２３（第１反射部）は、点Ｑ1から点Ｑ2に亘る範囲がＬＥＤパッケージ１２の発光面に向かって凹形状となっているが、この形状に限定されるものではなく、ＬＥＤパッケージ１２の発光面に向かって凸形状や平面であってもよい。第１リフレクタ部２３の形状は、ＬＥＤパッケージ１２を出射して、第１リフレクタ部２３で反射した後、さらに第２リフレクタ部２５（第２反射部）で反射した光を、ＬＥＤ１０の陰となった保護カバー３０の拡散部３２に導くことができるように、第２リフレクタ部２５の形状に応じて光学設計されるものである。
【００３７】
また、本実施例１では、保護カバー３０の内部に拡散粒子を配合して拡散性を持たせたが、これは、保護カバー３０の前面（外部に露出した面）に拡散性を有するフィルムを貼り付けることによって実現してもよい。これによって、保護カバー３０に拡散粒子を配合しなくて済むため、材料費が安くなって、保護カバーの製造コストを低減することができる。
【００３８】
さらに、拡散粒子やフィルムを使用しない方法として、ピラミッド型やサンドブラスト、マイクロレンズアレイ等の表面形状によって、光を拡散させる方法が考えられ、この方法では、フィルムを貼り付ける手間がなくなることや拡散粒子が必要ないため、製造コストを低減することができる。
【００３９】
また、本実施例１では、保護カバー３０の内部全体に亘って拡散粒子を配合したが、ＬＥＤパッケージ１２の裏面が保護カバー３０に接していない領域においては、保護カバー３０の透光率を高めて交通信号灯器１００の輝度を向上させるために、拡散粒子を、ＬＥＤパッケージ１２の裏面が保護カバー３０に接する領域のみ、もしくは、ＬＥＤ基板１４の裏面が保護カバー３０に接する領域のみに配合するようにしてもよい。これによって、ＬＥＤ発光装置２００から外部に出射される光量が増加するため、交通信号灯器１００の出力をより一層向上させることができる。
【００４０】
同様の理由で、保護カバー３０の前面に拡散性を有するフィルムを貼り付けるときには、ＬＥＤパッケージ１２の裏面が保護カバー３０に接する領域のみ、もしくは、ＬＥＤ基板１４の裏面が保護カバー３０に接する領域のみに貼り付けるようにしてもよい。これによって、ＬＥＤ発光装置２００から外部に出射される光量が増加するため、交通信号灯器１００の出力をより一層向上させることができる。さらに、使用するフィルムの量を減らすことができるため、コストを低減することができる。
【００４１】
なお、ＬＥＤ基板１４に接続された回路基板１６も、リフレクタ２０で反射した光が外部へ出射するのを妨げる位置に設けられているため、本実施例１において、第１リフレクタ部２３を、回路基板１６の延伸方向に沿って延びる単峰性を有する形状とすることによって、第１リフレクタ部２３と第２リフレクタ部２５とで反射した光を回路基板１６の裏面が保護カバー３０に接する領域に導き、これによって、リフレクタ２０で反射した光が回路基板１６で遮光されるのを防止する構成としてもよい。これによって、回路基板１６の裏面が保護カバー３０に接する領域から外部に向かって光を出射することができるため、より一層均一な輝度の交通信号灯器１００を提供することができる。
【００４２】
また、本実施例１にあっては、ＬＥＤ基板１４の裏面を保護カバー３０に熱伝導性接着剤によって接着しているため、ＬＥＤパッケージ１２の点灯中に、ＬＥＤパッケージ１２やＬＥＤ基板１４で発生した熱が、ＬＥＤ基板１４から熱伝導性接着剤を経て保護カバー３０に伝達される。こうして伝達された熱によって保護カバー３０が温められるため、本実施例１のＬＥＤ発光装置２００によって構成された交通信号灯器１００を寒冷地で使用する場合であっても、保護カバー３０の前面に付着した雪を溶かすことができ、これによって交通信号灯器１００の視認性の悪化を防止することができる。
【００４３】
なお、本実施例においては、ＬＥＤを光源とする発光素子を例にあげて説明したが、発光素子はＬＥＤに限定されるものではなく、白熱電球やＨＩＤランプなどを発光素子として用いることもできる。
【実施例２】
【００４４】
本発明のＬＥＤ発光装置で使用するリフレクタ（反射部材）の形状は、実施例１で説明したリフレクタ２０の形状に限定されるものではない。実施例２に係るＬＥＤ発光装置２１０は、図５に示すように、リフレクタ２２を、ＬＥＤパッケージ１２の発光面に対向する位置に形成された第１リフレクタ部２６（第１反射部）と、点Ｑ2において第１リフレクタ部２６と連続し、ＬＥＤパッケージ１２の中心位置Ｆを焦点とし、ＬＥＤパッケージ１２の光軸Ｌを軸とする回転放物面の形状を有する第３リフレクタ部２７と、点Ｑ3において第３リフレクタ部２７と連続し、ＬＥＤパッケージ１２の光軸Ｌと軸を共有する円筒の内周面形状を有する第２リフレクタ部２８（第２反射部）と、から形成したものである。
【００４５】
第１リフレクタ部２６は、ＬＥＤパッケージ１２の光軸Ｌを挟む両側に、それぞれ点Ｑ1から点Ｑ2の範囲に亘って形成されており、ＬＥＤパッケージ１２から出射して第１リフレクタ部２６に到達した光が、第２リフレクタ部２８に向けて反射するような反射面の形状を有している。なお、点Ｑ2の位置は、第１リフレクタ部２６で反射した光が、ＬＥＤ基板１４によって遮られずに、第２リフレクタ部２８に向けて反射するように設定される。
【００４６】
以下、本実施形態に係るＬＥＤ発光装置２１０の作用について図６を用いて説明する。
【００４７】
ＬＥＤパッケージ１２に対して、図示しない制御回路、および駆動回路の指示によって適切な電圧が印加されると、ＬＥＤパッケージ１２は、その発光面が発光して光を出射する。出射した光のうち、一部の光線Φ3は第１リフレクタ部２６に到達し、一部の光線Φ4は第３リフレクタ部２７に到達する。
【００４８】
第１リフレクタ部２６に到達した光線Φ3は、点Ｐ4において、第１リフレクタ部２６への入射角と点Ｐ4における第１リフレクタ部２６の法線方向に応じて決定する方向（入射角と反射角とが等しくなる方向）に反射して、点Ｐ5において第２リフレクタ部２８に到達し、点Ｐ5における第２リフレクタ部２８への入射角と点Ｐ5における第２リフレクタ部２８の法線方向に応じて決定する方向に反射して、図６に示すように、ＬＥＤ１０の裏面が保護カバー３０と接する領域を通過する方向に進行して、保護カバー３０に入射する。
【００４９】
ここで、本実施例２にあっては、円筒の内周面で形成された第２リフレクタ部２８で反射した光を保護カバー３０に入射させているため、実施例１と比べて、ＬＥＤ１０の裏面が保護カバー３０と接する領域に対して、より浅い角度で光を入射させることができる。そして、図６からわかるように、保護カバー３０に入射する光線Φ3を、保護カバー３０の内部において、ＬＥＤパッケージ１２の光軸Ｌと交差させることができる。そして、このような進路をとる光線Φ3は、光軸Ｌに関して回転対称に発生するため、ＬＥＤ１０の裏面が保護カバー３０に接する領域に、光を均一に入射させることができる。これにより、ＬＥＤ１０とリフレクタ２２を近づけることができるため装置の薄型化が図れ、また、暗部へ進行する光量が増えるので暗部と明部のコントラストを小さくすることができる。
【００５０】
一方、第３リフレクタ部２７に到達した光線Φ4は、点Ｐ6において、第３リフレクタ部２７への入射角と点Ｐ6における第３リフレクタ部２７の法線方向に応じて決定する方向に反射して、保護カバー３０に入射する。本実施例２では、第３リフレクタ部２７は、ＬＥＤパッケージ１２の中心位置Ｆを焦点とし、ＬＥＤパッケージ１２の光軸を軸とする回転放物面の形状を有しているため、第３リフレクタ部２７で反射した光は、平行光となって保護カバー３０に入射する。
【００５１】
保護カバー３０に入射した光は、保護カバー３０の内部の拡散部３２において拡散粒子と衝突して拡散する。光は、拡散粒子に衝突する度に減衰し、保護カバー３０を通過して、外部に出射される。
【００５２】
そして、本実施例２にあっては、第２リフレクタ部２８で反射した光が、ＬＥＤ１０の裏面が保護カバー３０に接する領域に、均一に入射するため、保護カバー３０の内部において、その拡散光は、ＬＥＤ１０の裏面が保護カバー３０に接する領域から、外部に向けて均一に出射される。そのため、ＬＥＤ１０の裏面の輝度をより一層向上させることができる。
【００５３】
以上説明したように、このように構成された実施例２に係るＬＥＤ発光装置２１０によれば、ＬＥＤパッケージ１２（発光素子）から出射した光が、リフレクタ２２（反射部材）を構成する、ＬＥＤパッケージ１２に対向する第１リフレクタ部２６（第１反射部）で反射して、さらに、ＬＥＤパッケージ１２の光軸Ｌと軸を共有する円筒の内周面形状を有する第２リフレクタ部２８（第２反射部）で反射して、ＬＥＤパッケージ１２の裏面に設置された透光性を有する保護カバー３０（カバー）に、より浅い角度で入射するため、保護カバーの内部により多くの光を導くことができ、こうして保護カバー３０に入射した光が、保護カバー３０の中の少なくともＬＥＤパッケージ１２の陰となる部分に形成された拡散部３２において拡散して外部に出射するため、より一層均一な面発光が可能な発光装置を提供することができる。また、リフレクタ２２を１枚のみで構成できるため、構成が簡単な発光装置を提供することができる。
【００５４】
なお、本実施例２において、ＬＥＤ基板１４の保護カバーに接着される面、もしくは、保護カバー３０のうちＬＥＤ基板１４が接着される面の内側に反射性を持たせることによって、拡散部３２で拡散してＬＥＤ基板１４の裏面に向かう光を、保護カバー３０から外部に向かう方向に反射させることができ、こうして反射した光を、保護カバー３０の前面から出射することができる。これによって、光のロスを低減して、ＬＥＤ１０の裏面が保護カバー３０に接する領域の輝度をより向上させることができる。
【００５５】
以上、本発明の実施例１、実施例２を、図面を用いて詳細に説明したが、これらの実施例は本発明の例示にしか過ぎないものであるため、本発明はこれらの実施例の構成にのみ限定されるものではなく、本発明の要旨を逸脱しない範囲の設計の変更等があっても、本発明に含まれることは勿論である。
【符号の説明】
【００５６】
２００  ＬＥＤ発光装置
１０  ＬＥＤ
１２  ＬＥＤパッケージ（発光素子）
１４  ＬＥＤ基板
１６  回路基板
２０  リフレクタ（反射部材）
２３  第１リフレクタ部（第１反射部）
２５  第２リフレクタ部（第２反射部）
２４  第３リフレクタ部
３０  保護カバー（カバー）
３２  拡散部
【図１】
2013186987.tif 000003
【図２】
2013186987.tif 000004
【図３】
2013186987.tif 000005
【図４】
2013186987.tif 000006
【図５】
2013186987.tif 000007
【図６】
2013186987.tif 000008